(57)【特許請求の範囲】
【請求項１】
照明機器と、
前記照明機器を制御する照明制御装置と、
を備え、
前記照明制御装置は、
操作部と、
前記照明機器の動作状態を記憶し、前記操作部に操作がなされたときに、前記操作と記憶した前記照明機器の動作状態とに基づいて操作目標値を求め、記憶した前記照明機器の動作状態を当該操作目標値に更新する目標値管理部と、
前記操作目標値を無線信号として送信する送信部と、
前記操作目標値に基づいた表示が行われる表示部と、
を有し、
前記照明機器は、光源部と制御部とを有し、
前記制御部は、前記無線信号として前記操作目標値を前記照明制御装置から受信すると、当該操作目標値に従って、前記光源部を制御する照明システム。
【請求項２】
前記照明制御装置は、前記操作部の操作が継続したときに、前記操作が完了するまで前記操作目標値よりも無線信号送信期間の短い無線信号としてリピート信号を繰り返し送信し、当該リピート信号を送信する毎に前記操作と更新後の記憶した前記照明機器の動作状態とに基づいて操作目標値を求めるとともに、記憶した前記照明機器の動作状態を求めた前記操作目標値に更新し、前記操作部の操作が完了したときに、前記リピート信号を送信する毎に更新することにより得た最後の前記操作目標値を無線信号として送信し、
前記照明機器の前記制御部は、前記無線信号として前記リピート信号を受信した場合、予め定めた一段階、前記光源部を制御する請求項１記載の照明システム。
【請求項３】
前記照明制御装置は、算出した前記操作目標値が、記憶した前記照明機器の動作状態と異なる場合に、前記操作目標値を無線信号として送信する請求項１または２に記載の照明システム。
【請求項４】
前記照明制御装置は、所定の範囲内で前記操作目標値を求め、当該求めた操作目標値が、記憶した前記照明機器の動作状態と異なる場合に、前記リピート信号を前記無線信号として送信する請求項２記載の照明システム。
【請求項５】
前記照明機器は、受信した前記操作目標値を動作状態として記憶し、前記記憶した動作状態となるように制御する請求項１〜４のいずれか１つに記載の照明システム。
【発明の詳細な説明】
【技術分野】
【０００１】
本発明の実施形態は、照明システムに関する。
【背景技術】
【０００２】
例えば、遠隔操作装置を用いて照明機器の明るさを制御する無線式制御システムがある。そのような無線式制御システムにおいては、遠隔操作装置から照明機器に向けて送信する片方向システムが簡易な構成として用いられる。そのため遠隔操作装置側でシステムの動作状態を表示するためには、遠隔操作装置側でシステムの動作状態を記憶する必要がある。また、一般に遠隔操作装置は、バッテリなどで動作するため、消費電力の制約があり、通信エラーなどにより遠隔操作装置に記憶した動作状態と照明機器の実際の動作状態とが相違する可能性もある。
【先行技術文献】
【特許文献】
【０００３】
【特許文献１】特開２００９−２３８５３０号公報
【発明の概要】
【発明が解決しようとする課題】
【０００４】
消費電力の増加を抑制しつつ、システムの動作状態を表示可能な照明システムを提供することを目的とする。
【課題を解決するための手段】
【０００５】
実施形態の照明システムは、照明機器と、照明制御装置と、を備える。前記照明制御装置は、操作部と目標値管理部と送信部と表示部とを有し、前記照明機器を制御する。前記目標値管理部は、前記照明機器の動作状態を記憶し、前記操作部に操作がなされたときに、前記操作と記憶した前記照明機器の動作状態とに基づいて操作目標値を求め、記憶した前記照明機器の動作状態を当該操作目標値に更新する。前記送信部は、前記操作目標値を無線信号として送信する。前記表示部は、前記操作目標値に基づいた表示が行われる。前記照明機器は、光源部と制御部とを有する。前記制御部は、前記無線信号として前記操作目標値を前記照明制御装置から受信すると、当該操作目標値に従って、前記光源部を制御する。
【発明の効果】
【０００６】
本発明の実施形態によれば、消費電力の増加を抑制しつつ、システムの動作状態を表示可能な照明システムが提供される。
【図面の簡単な説明】
【０００７】
【図１】第１の実施形態に係る照明システムを例示するブロック図である。
【図２】第１の実施形態に係る照明システムを例示する斜視図である。
【図３】第１の実施形態における主要な信号の構成を例示するタイミングチャートである。
【図４】操作目標値を例示する模式図である。
【図５】第２の実施形態における主要な信号の構成を例示するタイミングチャートである。
【図６】第３の実施形態における主要な信号の構成を例示するタイミングチャートである。
【図７】第４の実施形態における主要な信号の構成を例示するタイミングチャートである。
【発明を実施するための形態】
【０００８】
以下、実施形態について図面を参照して詳細に説明する。なお、図面は模式的または概念的なものであり、各部分の形状や縦横の寸法の関係、部分間の大きさの比率などは、必ずしも現実のものと同一とは限らない。また、同じ部分を表す場合であっても、図面により互いの寸法や比率が異なって表される場合もある。また、本願明細書と各図において、既出の図に関して前述したものと同様の要素には同一の符号を付して詳細な説明は適宜省略する。
【０００９】
（第１の実施形態）
図１は、第１の実施形態に係る照明システムを例示するブロック図である。
図２は、第１の実施形態に係る照明システムを例示する斜視図である。
本実施形態の照明システム１は、照明機器２と、照明機器２を無線信号により制御する照明制御装置３と、を備えている。
【００１０】
照明機器２は、天井に取付けて用いられるいわゆるシーリングライトである。照明機器２は、筐体４と、受信部５と、制御部６と、光源部７と、透光カバー８と、化粧枠９と、を備える。
筐体４は、照明機器２における取付け面側の外観を構成するとともに、受信部５、制御部６及び光源部７を実装し、また透光カバー８と化粧枠９とを支持する支持体として機能する。
【００１１】
受信部５は、筐体４上に設けられ、照明制御装置３から送信される無線信号、例えば赤外線信号を受信する。
制御部６は、受信部５により受信された無線信号を復調して操作目標値を生成し、光源部７を含む照明機器２の動作状態を制御する。
【００１２】
光源部７は、照明光源を有し、制御部６により光出力や光色などの点灯状態が制御される。照明光源は、例えば発光ダイオード（Light Emitting Diode：ＬＥＤ）であり、発光面を筐体４の取付け面と反対側に向けて設けられる。なお、本具体例においては、光源部７が、２つの照明光源を有する構成を例示しているが、照明光源の数は、電源電圧、光出力及び光色などに応じて任意数とすることができる。また、照明光源としては、ＬＥＤのほかにも、例えば、有機発光ダイオード（Organic Light Emitting Diode：ＯＬＥＤ）、無機エレクトロルミネッセンス（Inorganic ElectroLuminescence）照明光源、蛍光ランプなどを用いることもできる。
【００１３】
透光カバー８は、照明機器２における光取出面側の外観を構成するとともに、受信部５、制御部６及び光源部７を保護する枠として機能する。透光カバー８は、例えば光透過性を有する樹脂などで形成される。また、透光カバー８は、例えば乳白色などに着色され、光源部７などを外部から目視できない程度に半透明に形成される。
【００１４】
化粧枠９は、照明機器２におけるデザイン性など観点から設けられる。化粧枠９は、例えば、樹脂などで形成され、透光カバー８とは異なる色に着色される。なお、本具体例においては、化粧枠９が透光カバー８を囲んだ構成を例示したが、化粧枠９を設けない構成も可能である。
【００１５】
照明制御装置３は、操作部１０と、操作部１０が操作されたときに操作目標値を求める目標管理部１１と、操作目標値に基づいた表示を行う表示部１２と、操作目標値を送信する送信部１３とを有する。照明制御装置３は、操作部１０が操作されたときに、操作目標値を送信して、照明機器２における制御部６を介して、光源部７の光出力及び光色を制御する。なお、本具体例においては、照明制御装置３がほぼ直方体に形成された構成を例示しているが、照明制御装置３の外形は、他の形状でもよく任意である。
【００１６】
操作部１０は、照明制御装置３の表面に設けられ、ユーザによる操作可能な複数の操作入力部１０１〜１１０を有する。各操作入力部１０１〜１１０の機能を簡単に説明すると、全光操作入力部（以下、全光ボタン）１０１は、照明機器２における光源部７の光出力を最大にすることを指示する。サークル状の操作入力部１０２は、上下左右の４箇所をそれぞれ押下することができる。操作入力部１０２の上側（以下、明ボタン）１０２ａは、光出力を大きくし、明るくすることを指示する。操作入力部１０２の下側（以下、暗ボタン）１０２ｂは、光出力を小さくし、暗くすることを指示する。操作入力部１０２の左側（以下、電球色ボタン）１０２ｃは、光色を電球色に近づけることを指示する。操作入力部１０２の右側（以下、白色ボタン）１０２ｄは、光色を白色に近づけることを指示する。消灯操作入力部（以下、消灯ボタン）１０３は、光出力をゼロにして消灯することを指示する。また、詳細な説明は省略するが、さらに複数の操作入力部１０４〜１１０が設けられている。なお、本具体例においては、複数の操作入力部１０１〜１１０が、照明制御装置３の表面から外方に突出し、ユーザによる押下が可能なボタン状に構成されている。しかし、操作入力部は、ユーザによる入力操作が可能であれば他の構成でもよく、例えばタッチパネルなどでもよい。また、以下の説明においては、各操作入力部を操作することを、「ボタンを押下する」といい、各操作入力部の操作が完了することを、「ボタンを開放する」という。
【００１７】
目標管理部１１は、照明制御装置３の内部に設けられ、操作部１０において操作入力部１０１〜１１０の操作の有無を検出して、操作された操作入力部に対応する制御信号を生成する。また、目標管理部１１は、照明機器２の動作状態を記憶し、操作された操作入力部に対応する操作目標値を求める。例えば、消灯状態において全光ボタン１０１が操作されたときは、全光ボタン１０１の押下を検出して、操作目標値として最大の光出力を設定する。また、例えば、消灯状態において明ボタン１０２ａが操作されたときは、明ボタン１０２ａの押下を検出して、操作目標値として、記憶された照明機器２の動作状態における光出力及び光色を設定する。また、所定の光出力及び光色で点灯している状態において、電球色ボタン１０２ｃが操作されたときは、電球色ボタン１０２ｃの押下を検出して、操作目標値として、記憶された照明機器２の動作状態における光色に基づいて電球色側に近づいた光色を操作目標値として求める。また、目標管理部１１は、操作目標値に基づいて、照明機器２を制御する制御信号を生成する。なお、目標管理部１１は、例えばマイクロコンピュータなどにより構成することができる。
【００１８】
表示部１２は、照明制御装置３の表面に設けられ、操作部１０が操作されたときに、操作目標値に基づいた表示を行う。表示部１２は、例えば、全光を１００％として、照明機器２の動作状態における光出力を全光に対する割合で表示することができる。また、表示部１２は、全光時の消費電力を１００％として、照明機器２の動作状態における消費電力を節電として数値化して表示することができる。また、数値で表示する他に、光出力や光色をバーグラフなどで段階的に表示してもよい。なお、表示部１２は、例えば液晶パネルなどで構成することができる。また、表示部１２が表示する表示データは、目標管理部１１で生成することができる。
【００１９】
送信部１３は、照明制御装置３の側面側に設けられ、目標管理部１１で生成された制御信号を無線信号に変調して送信する。送信部１３は、例えば、照明制御装置３の側面に露出した赤外線発光素子を有し、赤外線の無線信号を送信する。なお、送信部１３は、制御信号を無線信号として送信できればよく、赤外線のほか特定帯域の電波として送信してもよい。
【００２０】
次に、本実施形態の照明システム１の動作について説明する。
図３は、第１の実施形態における主要な信号の構成を例示するタイミングチャートであり、（ａ）は操作部のＯＮ及びＯＦＦ操作、（ｂ）は無線信号である。
図３においては、操作部１０の操作入力部であるボタンが押下されてＯＮしてから、所定時間内にボタンが開放されてＯＦＦし、所定時間内に操作が完了する、いわゆる「単押し」の場合の信号を表している。
【００２１】
照明制御装置３は、操作部１０の操作入力部が押下されてＯＮした場合に（図３（ａ））、操作された操作入力部に対応する無線信号として、操作目標値を含む制御信号を送信する（図３（ｂ））。このとき照明制御装置３は、記憶した照明機器２の動作状態に基づいて操作目標値を求めるとともに、操作目標値を操作後の照明機器２の動作状態として更新する。また、照明機器２は、受信した無線信号を復調して制御信号を生成し、光源部７の光出力または光色を制御信号に含まれる操作目標値となるように制御する。
【００２２】
図４は、操作目標値を例示する模式図である。
図４においては、横軸を光色、縦軸を光出力にとり、操作目標値として照明機器２における光源部７の光出力及び光色の制御可能な範囲を、Ａ点、Ｂ点、Ｃ点、Ｄ点、Ｅ点、Ｆ点及びＡ点を接続した多角形と、Ａ０点、Ｆ０点及びＥ０点を接続した直線で表している。ここで、Ａ点は、光源部７の光色が昼光色で光出力が最小になる操作目標値である。Ｂ点は、光源部７の光色が昼光色で光出力が５０％になる操作目標値である。Ｃ点は、光源部７の光色が昼白色で光出力が最大１００％になる操作目標値である。Ｄ点は、光源部７の光色が電球色で光出力が５０％になる操作目標値である。Ｅ点は、光源部７の光色が電球色で光出力が最小になる操作目標値である。Ｆ点は、光源部７の光色が昼白色で光出力が最小になる操作目標値である。また、Ａ０点、Ｆ０点及びＥ０点は、光源部７の光色を維持したまま、それぞれＡ点、Ｆ点及びＥ点から光源部７を消灯させて光出力を０％にする操作目標値である。
【００２３】
照明制御装置３は、記憶した照明機器２の動作状態に基づいて操作目標値を求めるときは、上記の制御可能な範囲である多角形ＡＢＣＤＥＦ及び直線Ａ０Ｆ０Ｅ０の範囲内の値に制限する。なお、照明機器２の動作状態は、操作目標値と同様に、多角形ＡＢＣＤＥＦ及び直線Ａ０Ｆ０Ｅ０で表される。
【００２４】
例えば、光源部７が消灯し、照明機器２の実際の動作状態及び照明制御装置３に記憶された動作状態が、Ｆ０点であるとする。この状態で全光ボタン１０１が押下されると、照明制御装置３は、Ｃ点を操作目標値とする制御信号を無線信号として送信する。
照明機器２は、受信無線信号を復調して制御信号を生成し、光源部７の光出力及び光色を制御して操作目標値であるＣ点で動作するように制御する。
【００２５】
なお、光源部７が消灯しているとき、照明制御装置３に記憶された動作状態が、Ｆ０点以外の例えばＡ０点またはＥ０点である場合も、照明制御装置３は、Ｃ点を操作目標値とする制御信号を無線信号として送信する。そのため、無線信号を受信した照明機器２は、照明機器２の動作状態に関係なく、光源部７を操作目標値であるＣ点に制御する。
【００２６】
上記においては、全光ボタン１０１が操作された場合について説明したが、他のボタンが操作された場合についても同様である。例えば、光源部７が消灯しているとき、照明制御装置３に記憶された動作状態がＰ０点で、照明機器２に記憶された動作状態がＱ０点と相違しているとする。この状態で明ボタン１０２ａが押下されると、照明制御装置３は、例えばＰ１点を操作目標値とする制御信号として無線信号を送信する。無線信号を受信した照明機器２は、記憶した動作状態であるＱ０点から操作目標値であるＰ１点で動作するように光源部７を制御する。したがって、例えば通信エラーなどにより照明機器２が操作目標値を受信できなかった場合でも、照明機器２の動作状態は、次に正常に受信できた操作目標値により光源部７を操作目標値で動作するように制御される。
【００２７】
さらに動作状態がＰ１点の場合において、例えば明ボタン１０２ａが押下されると、照明制御装置３は、Ｐ２点を操作目標値とする制御信号として無線信号を送信する。この無線信号を受信した照明機器２は、記憶した動作状態であるＰ１点から操作目標値であるＰ２点に光源部７を制御する。同様に、明ボタン１０２ａが繰り返し操作され、照明機器２が正常に受信できた場合は、それぞれＰ３点、Ｐ４点、Ｐ５点、Ｐ６点の操作目標値で動作するように光源部７を制御する。また、途中で照明機器２が正常に受信できなかった場合は、例えば操作目標値であるＰ３点からＰ６点で動作するように光源部７が制御される。
【００２８】
次に第１の実施形態の効果について説明する。
本実施形態においては、照明制御装置３が、記憶した照明機器２の動作状態に基づいて操作目標値を求めて、照明機器２を制御するため、照明制御装置３の表示部１２に照明機器２の動作状態に基づいて表示を行うことができる。例えば、全光を１００％として、照明機器２の動作状態における光出力を全光に対する割合で表示することができる。また、全光時の消費電力から照明機器２の動作状態における消費電力を除いた値（減算した値）で表示して、節電を数値化して表示することができる。
【００２９】
例えば、制御信号に操作目標値を含めない場合には、明ボタンの操作に応じて、照明機器の光出力が一段階ごとに明るくなるように制御される。しかし、通信エラーなどにより照明機器が制御信号を受信できない場合に生じる実際の動作状態と照明制御装置に記憶された動作状態とが相違する状態は、例えば光源部７が全光状態になるまで解消しない。
【００３０】
これに対して、本実施形態においては、操作部１０が操作されると、照明制御装置３が操作に応じた操作目標値を送信するため、照明機器２が通信エラーで操作目標値を受信できなかった場合でも、次に受信できた操作目標値により光源部７を操作目標値に制御することができる。その結果、照明制御装置３において、照明機器２の動作状態に関する表示をしている場合、通信エラーなどによる実際の動作状態と相違する状態が解消される。
【００３１】
（第２の実施形態）
第２の実施形態の照明システムは、第１の実施形態と比較して、操作部１０が操作されたときに照明制御装置３から制御信号として送信される無線信号の構成が異なっている。
【００３２】
本実施形態の照明制御装置３は、操作部１０の操作入力部が連続押しされた場合に、制御信号よりも短いリピート信号を送信する。このとき照明制御装置３は、記憶した照明機器２の動作状態に基づいて操作目標値を求めるとともに、操作目標値をリピート操作後の照明機器２の動作状態として更新する。また、照明制御装置３は、操作部１０の操作入力部が開放され操作部１０の操作が完了したときに、操作目標値を含む制御信号を送信する。
【００３３】
図５は、第２の実施形態における主要な信号の構成を例示するタイミングチャートであり、（ａ）は操作部のＯＮ及びＯＦＦ操作、（ｂ）は無線信号である。
図５においては、操作部１０の操作入力部であるボタンが押下されてＯＮしてから、所定時間以上ボタンが押下されたＯＮのままで、所定時間内に操作が完了しない、いわゆる「連続押し」の場合における信号を表している。
【００３４】
図４及び図５を参照して、本実施形態の照明システムの動作について説明する。
例えば、光源部７が消灯しているとき、照明制御装置３に記憶された動作状態がＰ０点で、照明機器２に記憶された動作状態がＱ０点であり、両者が相違しているとする。この状態で明ボタン１０２ａが押下されると（図５（ａ））、照明制御装置３は、例えばＰ１点を操作目標値とする制御信号として無線信号を送信する（図５（ｂ））。無線信号を受信した照明機器２は、記憶した動作状態であるＱ０点から操作目標値であるＰ１点に光源部７を制御する。したがって、例えば通信エラーなどにより照明機器２が操作目標値を受信できなかった場合でも、照明機器２の動作状態は、次に正常に受信できた操作目標値に制御される。ここまでは、第１の実施形態と同様である。
【００３５】
次に、明ボタン１０２ａが所定時間内に開放されないとする。動作状態がＰ１点の場合において、明ボタン１０２ａが押下されたままでＯＮしていると（図５（ａ））、照明制御装置３は、操作目標値を含む制御信号よりも短いリピート信号を送信する（図５（ｂ））。また、照明制御装置３は、記憶した照明機器２の動作状態に基づいて操作目標値を求めて、操作後の照明機器２の動作状態として更新する。リピート信号を受信した照明機器２は、記憶した動作状態であるＰ１点から一段階明るいＰ２点に光源部７を制御する。
【００３６】
同様に、リピート信号を送信してから所定時間内に明ボタン１０２ａが開放されないと（図５（ａ））、照明制御装置３は、繰り返しリピート信号を送信する（図５（ｂ））。また、照明制御装置３は、記憶した照明機器２の動作状態に基づいて操作目標値を求めて、操作後の照明機器２の動作状態として更新することを繰り返す。照明機器２がリピート信号を正常に受信できた場合は、一段階明るいＰ３点に光源部７を制御する。
【００３７】
この状態で、明ボタン１０２ａが開放され、ＯＦＦすると（図５（ａ））、照明制御装置３は、最後に記憶した動作状態に対応するＰ３点を操作目標値として含む制御信号を送信する。制御信号を受信した照明機器２は、実際の動作状態によらず、光源部７を受信した操作目標値になるように制御する。例えば、照明機器２がＰ３点で動作している場合は、そのままＰ３点での動作を続け、照明機器２がＰ３点で動作していない場合は、操作目標値であるＰ３点で動作するように光源部７を制御する。
【００３８】
なお、上記においては、明ボタン１０２ａが操作された場合の動作を例示したが、他のボタン、例えば暗ボタン１０２ｂ、電球色ボタン１０２ｃ、白色ボタン１０２ｄなどが操作された場合の動作も同様である。また、リピート信号を受信した場合の照明機器２の動作における、上記の「一段階」は、照明機器２において予め設定することができ、また、照明制御装置３から「一段階」の値を制御信号として送信することにより照明機器２に設定することもできる。
【００３９】
本実施形態においては、第１の実施形態における効果の他に、操作部１０が連続押しされた場合に、照明制御装置３が操作目標値を含む制御信号よりも短いリピート信号を送信するため、照明制御装置３の消費電力を低減することができる。その結果、照明制御装置３の電源としてバッテリーを用いた場合に、使用可能時間を長時間化することができる。
【００４０】
また、例えば、リピート信号を送信し、操作部１０の操作が完了したときに、操作目標値を含む制御信号を送信しない場合は、リピート信号に応じて、照明機器の光出力が一段階ごとに明るくなるように制御される。しかし、通信エラーなどにより照明機器が制御信号を受信できない場合があり、実際の動作状態と照明制御装置３に記憶された動作状態とが相違する可能性がある。この状態は、光出力が最大値になるまで明ボタンの繰り返し操作しないと、解消することができない。
【００４１】
これに対して、本実施形態においては、操作部１０の操作が完了すると、照明制御装置３が更新された操作目標値を含む制御信号を送信するため、通信エラーなどでリピート信号を受信できなかった場合でも、操作目標値を含む制御信号により光源部７を操作目標値に制御することができる。その結果、照明制御装置３が、照明機器２の動作状態に関する表示をしている場合において、消費電力を低減しつつ、表示が通信エラーなどによる実際の動作状態と相違する状態を解消することができる。
【００４２】
（第３の実施形態）
第３の実施形態の照明システムは、第１の実施形態と比較して、操作部１０が操作されたときに照明制御装置３から制御信号として送信される無線信号の構成が異なっている。
図６は、第３の実施形態における主要な信号の構成を例示するタイミングチャートであり、（ａ）は操作部のＯＮ及びＯＦＦ操作、（ｂ）は無線信号である。
図６においては、操作部１０の操作入力部であるボタンが押下されてＯＮしてから、所定時間内にボタンが開放されてＯＦＦし、所定時間内に操作が完了する、いわゆる「単押し」の場合の信号を表している。
【００４３】
本実施形態の照明制御装置３は、操作部１０の操作入力部が押下されてＯＮした場合に（図６（ａ））、記憶した照明機器２の動作状態に基づいて操作目標値を求める。照明制御装置３は、操作目標値が記憶した照明機器２の動作状態と異なる場合は、操作後の照明機器２の動作状態として更新する。また、照明制御装置３は、操作目標値を含む制御信号として無線信号を送信する（図６（ｂ））。照明機器２は、受信した無線信号を復調して制御信号を生成し、光源部７の光出力または光色を制御信号に含まれる操作目標値となるように制御する。また、照明制御装置３は、操作目標値が記憶した照明機器２の動作状態と同一で、照明機器２の動作状態を変更しない場合は、無線信号を送信しない（図６（ｂ））。
【００４４】
本実施形態においては、第１の実施形態における効果の他に、操作部１０の操作に対応した操作目標値が同一の場合は、照明制御装置３は無線信号を送信しないため、照明制御装置３の消費電力をさらに低減することができる。その結果、照明制御装置３の電源としてバッテリーを用いた場合の使用可能時間をさらに長時間化することができる。
【００４５】
なお、上記においては、操作目標値が記憶した照明機器２の動作状態と同一場合は、照明制御装置３は、無線信号を送信しない構成を例示した。しかし、操作目標値が記憶した照明機器２の動作状態と同一場合が所定回数以上連続した場合に、送信しない構成とすることもできる。
【００４６】
（第４の実施形態）
第４の実施形態の照明システムは、第２の実施形態と比較して、操作部１０が操作されたときに照明制御装置３から制御信号として送信される無線信号の構成が異なっている。
図７は、第４の実施形態における主要な信号の構成を例示するタイミングチャートであり、（ａ）は操作部のＯＮ及びＯＦＦ操作、（ｂ）は無線信号である。
図７においては、操作部１０の操作入力部であるボタンが押下されてＯＮしてから、所定時間以上ボタンが押下されたＯＮのままで、所定時間内に操作が完了しない、いわゆる「連続押し」の場合における信号を表している。
【００４７】
本実施形態の照明制御装置３は、操作部１０の操作入力部が連続押しされた場合に（図７（ａ））、記憶した照明機器２の動作状態に基づいて操作目標値を求める。照明制御装置３は、操作目標値が記憶した照明機器２の動作状態と異なる場合は、操作後の照明機器２の動作状態として更新する。また、照明制御装置３は、制御信号よりも短いリピート信号を送信する（図７（ｂ））。照明制御装置３は、操作目標値が記憶した照明機器２の動作状態と同一であり、照明機器２の動作状態を変更するものではない場合は、リピート信号を送信しない（図７（ｂ））。また、照明制御装置３は、操作部１０の操作入力部が開放され操作部１０の操作が完了したときに、操作目標値を含む制御信号を送信する。
【００４８】
本実施形態においては、第２の実施形態における効果の他に、操作部１０の操作が所定時間以上継続して、求めた操作目標値が同一の場合は、照明制御装置３はリピート信号を送信しないため、照明制御装置３の消費電力をさらに低減することができる。その結果、照明制御装置３の電源としてバッテリーを用いた場合の使用可能時間をさらに長時間化することができる。
【００４９】
以上、具体例を参照しつつ実施形態について説明したが、それらに限定されるものではなく、種々の変形が可能である。
例えば、照明機器は、シーリングライトの他、シャンデリア、ペンダント、ダウンライト、スポットライトなどでもよい。照明機器は、光源として、電球、蛍光灯、各種の放電管、ＬＥＤ（light emitting diode）、レーザ素子、ＥＬ（electroluminescent）素子、その他、各種の発光素子のいずれを用いたものでもよい。また、照明機器は、屋内用の他、屋外用でもよい。また、照明機器の平面形状は、円形状に限らず、楕円形状の他、長方形など多角形状でもよい。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１…照明システム、  ２…照明機器、  ３…照明制御装置、  ４…筐体、  ５…受信部、  ６…制御部、  ７…光源部、  ８…透光カバー、  ９…化粧枠、  １０…操作部、  １１…目標管理部、  １２…表示部、  １３…送信部、  １０１〜１１０…操作入力部
【図１】
0006016076.tif 000002
【図２】
0006016076.tif 000003
【図３】
0006016076.tif 000004
【図４】
0006016076.tif 000005
【図５】
0006016076.tif 000006
【図６】
0006016076.tif 000007
【図７】
0006016076.tif 000008